(57)【要約】【課題】理想的なスイング動作を身に着けることが可能であり、安価なゴルフスイング練習用機器、及び、ゴルフクラブを提供する。【解決手段】ゴルフスイング練習用機器１の取り付け部２は、シャフト８０に取り付けられる。アーム部３１は、一端がハウジング３２に結合され、他端が取り付け部２にスイング可能に軸止めされている。回路部４は、発光素子４２と、衝撃検出子４４とを含み、ハウジング３２に内蔵されている。発光素子４２は、衝撃検出子４４と接続されている。衝撃検出子４４は、衝撃を検出したときに発光素子４２を発光させる。本発明に係るゴルフクラブにおいてシャフト８０は、長手方向Ｌの一端にヘッド８１が取り付けられている。ゴルフスイング練習用機器１は、取り付け部２がシャフト８０に取り付けられた状態で、ハウジング３２がヘッド８１に衝突可能である。【選択図】図１
2011167253.tif 000002
【特許請求の範囲】
【請求項１】
取り付け部と、アーム部と、ハウジングと、回路部とを含み、ゴルフクラブのシャフトに取り付けて用いられるゴルフスイング練習用機器であって、
前記取り付け部は、前記シャフトに取り付けられ、
前記アーム部は、一端が前記ハウジングに結合され、他端が前記取り付け部にスイング可能に軸止めされており、
前記回路部は、発光素子と、衝撃検出子とを含み、前記ハウジングに内蔵されている。
前記発光素子は、電気回路を通じて前記衝撃検出子と接続されており、
前記衝撃検出子は、衝撃を検出したときに前記発光素子を発光させる、
ゴルフスイング練習用機器。
【請求項２】
請求項１に記載されたゴルフスイング練習用機器であって、前記回路部は、スイッチを含み、
前記スイッチは、前記衝撃検出子と、前記発光素子との間の前記電気回路を開閉するものであって、前記衝撃検出子が衝撃を検出したときに、前記電気回路を閉じる、
ゴルフスイング練習用機器。
【請求項３】
請求項１又は２に記載されたゴルフスイング練習用機器であって、
前記衝撃検出子は、検出端を有し、前記検出端は、前記ハウジングの外部に突出している、
ゴルフスイング練習用機器。
【請求項４】
シャフトと、ヘッドと、ゴルフスイング練習用機器とを含むゴルフクラブであって、
前記シャフトは、長手方向の一端に前記ヘッドが取り付けられており、
前記ゴルフスイング練習用機器は、請求項１乃至３に記載されたものでなり、前記取り付け部が前記シャフトに取り付けられ、前記取り付けられた状態で、前記ハウジングが前記ヘッドに衝突可能である、
ゴルフクラブ。
【発明の詳細な説明】
【技術分野】
【０００１】
本発明は、ゴルフスイング練習用機器、及び、ゴルフクラブに関する。
【背景技術】
【０００２】
ゴルフで求められる理想的なスイングでは、ボールをより遠くへ飛ばすためクラブヘッドを高速でボールに打撃させる動作と、ボールを狙った飛球方向に飛ばすためクラブ打球面（フェース）を正確にボールに打撃させる動作との２つを同時に実行することが重要となる。
【０００３】
上述した理想的なスイング動作を身に着けるための練習用機器について、例えば特許文献１が知られている。特許文献１記載の練習用機器は、クラブシャフトに取り付けて用いられるものであって、発光手段を点灯させる可動部材を有し、可動部材は、クラブを所要速度以上で振った時に生じる遠心力によって動き、発光手段を発光させる。
【０００４】
ところで、理想的なスイング動作を行うには、クラブを保持する両腕の肘及び手首の動作が重要となる。即ち、スイング動作中に肘及び手首を折り曲げ（コック）し、さらにクラブヘッドがボールを打撃する瞬間（インパクト時）にコックを解放することにより、ヘッドスピードがさらに加速され、ボールの飛距離を伸ばすことができる。
【０００５】
また、コックを解放してヘッドスピードを増速させるには、コックを解放するまでの一連のスイング動作が適切に行われていなければならない。例えば、右利きのゴルファーの場合、頭の上下動を抑え頭を静止させた状態で、背骨を中心にして反飛球方向に体を捻転させる。このバックスイング時に、右肘を折り畳みながら、後頭部方向に両腕を持ち上げ、クラブを握る右手首を甲側に折る（コック）動作を行うことにより、シャフトは地面と水平となり、クラブ打球面は略４５度の角度で空を指す。この右肘及び右手首のコックがボールを遠くへ飛ばす重要要件である。
【０００６】
次に、バックスイングの後、下半身のリードで体を飛球方向に捻転させる。このダウンスイング時に、腹部の動きと同調して先に右肩が出ると飛球ラインの外側からヘッド軌道が入るアウトサイドインとなり、逆に、右肩が遅れると飛球ラインの内側からヘッド軌道が入るインサイドインとなる。このダウンスイング時の体の捻転動作、及び、ヘッド軌道が適切でないと、狙った飛球方向へ正確にボールを飛ばすことができない。
【０００７】
次に、左腕が水平に至るまで、左肩を支点とした立振りスイングを行い、クラブヘッドがボールを打撃するインパクトゾーンに入り、コックを解放したときにインパクトを迎えることにより、ボールを遠方に飛ばすことが可能となる。
【０００８】
上述した全てのスイング動作、即ち、頭を静止させた状態で体を捻転させ、右肘及び右手首をコックし、さらにインパクトの瞬間にコックを解放する動作を、一秒強程度のスイング時間の中で、適切なタイミングで正確に行うには、高度の熟練性が求められる。特に、コックの解放のタイミングはインパクトから早すぎても遅すぎても所望の効果を得ることができない。しかもコックが適切なタイミングで解放されない場合、通常、クラブフェースは飛球ラインに対して直角に当たらず、ボールを狙った方向に飛ばすことができないと言う問題が生じる。
【０００９】
しかし、特許文献１記載の開示内容では、上述した問題を解決することができない。特許文献１記載の練習用機器は、クラブを所要速度以上で振った場合に生じる遠心力によって可動部材を動かし、発光手段を発光させるものである。違う言葉で表現すれば、特許文献１記載の練習用機器では、コックの解放のタイミングの適否に係わらず、クラブが所要速度以上で振られた場合に発光してしまうものである。従って、特許文献１記載の開示内容では、適切なタイミングでコックを解放する技術を習得することはできない。
【先行技術文献】
【特許文献】
【００１０】
【特許文献１】特開２００３−１３５６４２号公報
【発明の概要】
【発明が解決しようとする課題】
【００１１】
本発明の課題は、理想的なスイング動作を身に着けることができるゴルフスイング練習用機器、及び、ゴルフクラブを提供することである。
【００１２】
本発明のもう１つの課題は、安価なゴルフスイング練習用機器、及び、ゴルフクラブを提供することである。
【課題を解決するための手段】
【００１３】
上述した課題を解決するため、本発明に係るゴルフスイング練習用機器は、ゴルフクラブのシャフトに取り付けて用いられるものであって、取り付け部と、アーム部と、ハウジングと、回路部とを含む。取り付け部は、シャフトの先端に取り付けられる。アーム部は、一端がハウジングに結合され、他端が取り付け部にスイング可能に軸止めされている。回路部は、発光素子と、衝撃検出子とを含み、ハウジングに内蔵されている。発光素子は、電気回路を通じて衝撃検出子と接続されている。衝撃検出子は、衝撃を検出したときに発光素子を発光させる。
【００１４】
本発明に係るゴルフクラブは、シャフトと、ヘッドと、ゴルフスイング練習用機器とを含む。シャフトは、長手方向の一端にヘッドが取り付けられている。ゴルフスイング練習用機器は、取り付け部がシャフトに取り付けられ、取り付けられた状態で、ハウジングがヘッドに衝突可能である。
【００１５】
上述したように、本発明に係るゴルフスイング練習用機器は、取り付け部を介してゴルフクラブのシャフトに取り付けられる機構を有しているから、当該ゴルファーが使用している自分のゴルフクラブに取り付けて用いることができる。従って、安価であるとともに、実際のプレーに即した理想的なスイング動作を身につけることができる。
【００１６】
ゴルフスイング練習用機器は、アーム部の他端が取り付け部にスイング可能に軸止めされ、取り付け部を介してシャフトに取り付けられた状態で、ハウジングがヘッドに衝突可能である。この構造によると、肘及び手首のコックを解放することにより生じる力（スナップ）で、アーム部の一端に設けられたハウジングをヘッド方向にスイングさせ、ヘッドに衝突させることが可能である。従って、ハウジングとヘッドとの衝突のタイミングと、インパクトの瞬間とが重なるよう、スイング動作を調整することにより、適切なタイミングでコックを解放する技術を習得し、もって、理想的なスイング動作を身につけることができる。
【００１７】
回路部は、発光素子と、衝撃検出子とを含み、ハウジングに内蔵されている。発光素子は、電気回路を通じて衝撃検出子と接続されている。衝撃検出子は、衝撃を検出したときに発光素子を発光させる。この構成によると、ハウジングとヘッドとの衝突のタイミングを発光素子の発光によって目で確認することができるから、理想的なスイング動作を身につけることができる。しかも、発光素子が発光することにより、目の残像効果によってヘッドの軌道を確認することができるから、理想的なスイング動作を身につけることができる。
【００１８】
本発明の好ましい態様において、回路部は、スイッチを含み、スイッチは、衝撃検出子と、発光素子との間の電気回路を開閉するものであって、衝撃検出子が衝撃を検出したときに、電気回路を閉じる。この構成によると、遠心力の働く限り発光素子を発光（点灯）させ続けることができる。即ち、本発明に係るゴルフクラブを用いてスイング動作を行った場合、トップ（バックスイングの終了）からダウンスイング動作初期において、ハウジングは、重力によって地面方向に垂れ下がっている。そして、左肩を支点としてクラブを振り下ろす（ダウンスイング）ことにより、シャフト先端のクラブヘッドには、遠心力が加わる。ここでダウンスイング動作中のハウジングにも遠心力が加わっており、この遠心力と、肘及び手首のコックをインパクトの瞬間前に解放することにより生じる力（スナップ）とが重畳的に加えられることにより、同ハウジングがヘッドに衝突する。
【００１９】
上述したスイング動作において、スイッチは、衝撃検出子が衝撃を検出したときに、衝撃検出子と、発光素子との間の電気回路を閉じるから、遠心力の働く限り電気回路を閉じ続ける構成とすることにより、発光素子を発光（点灯）させ続け、目の残像効果によって、スイングプレーンを確認し、インパクトのタイミングを練習調整することが可能となり、理想的なスイング動作を身に付けることができる。
【発明の効果】
【００２０】
以上述べたように、本発明によれば、次のような効果を得ることができる。
（１）理想的なスイング動作を身に着けることができるゴルフスイング練習用機器、及び、ゴルフクラブを提供することができる。
（２）安価なゴルフスイング練習用機器、及び、ゴルフクラブを提供することができる。
【００２１】
本発明の他の目的、構成及び利点については、添付図面を参照し、更に詳しく説明する。添付図面は、単に、例示に過ぎない。
【図面の簡単な説明】
【００２２】
【図１】本発明の一実施形態に係るゴルフスイング練習用機器の正面図である。
【図２】図１のゴルフスイング練習用機器の平面図である。
【図３】図１のゴルフスイング練習用機器を破断して示す正面断面図である。
【図４】本発明の一実施形態に係るゴルフクラブについて一部を拡大して示す正面図である。
【図５】本発明の一実施形態に係るゴルフクラブの使用方法を示す正面図である。
【図６】図５の動作時におけるゴルフスイング練習用機器の状態について一部を省略して示す正面図である。
【図７】図５及び図６の状態のあとの動作を示す正面図である。
【図８】図７の動作時におけるゴルフスイング練習用機器の状態について一部を省略して示す正面図である。
【図９】図８の動作時におけるゴルフスイング練習用機器の内部構造について一部を省略して示す拡大断面図である。
【図１０】本発明のもう一つの実施形態に係るゴルフスイング練習用機器の正面図である。
【図１１】図１０のゴルフスイング練習用機器の平面図である。
【図１２】本発明のさらにもう一つの実施形態に係るゴルフスイング練習用機器の正面図である。
【図１３】図１２のゴルフスイング練習用機器の平面図である。
【発明を実施するための形態】
【００２３】
図１乃至図１３において同一符号は、同一又は対応部分を示すものとする。また、図１乃至１３の説明において、取り付け部（２）を構成する基体部（２１、２２）の板厚方向、及び、振り子部（３）を構成するアーム部（３１）の長手方向は一致するから符号Ｌに統一して示す。
【００２４】
図１乃至図３を参照すると、本発明の一実施形態に係るゴルフスイング練習用機器は、ゴルフクラブのシャフトに取り付けて用いられるものであって、取り付け部２と、振り子部３とを含む。
【００２５】
取り付け部２は、第１の基体部２１と、第２の基体部２２とを有している。第１、第２の基体部２１、２２のそれぞれは、ポリカーボネート（ＰＣ）、ポリプロピレン（ＰＰ）等の合成樹脂材料を用いた一体成型物である。
【００２６】
第１の基体部２１は、正面視、略四角形状であって、第１の湾曲部２１１を有している。第１の湾曲部２１１は、板面の幅方向Ｗの中央部分において板厚方向Ｌに湾曲し、幅方向Ｗに直交する高さ方向Ｔに沿って伸びている。第１の湾曲部２１１は、板厚方向Ｌでみた他面側が凸面を構成し、一面側が凹面２１０を構成している。
【００２７】
第２の基体部２２は、正面視、略四角形状であって、第２の湾曲部２２１と、一対の軸受け片２２２、２２２と、軸部２２３とを有している。第２の湾曲部２２１は、板面の幅方向Ｗの中央部分において板厚方向Ｌに湾曲し、高さ方向Ｔに沿って伸びている。第２の基体部２２は、板厚方向Ｌの一面側が凸面を構成し、他面側が凹面２２０を構成している。即ち、第１、第２の湾曲部２１１、２２１は、板厚方向Ｌでみて逆方向に湾曲している。
【００２８】
一対の軸受け片２２２、２２２のそれぞれは、高さ方向Ｔの中間部において、幅方向Ｗでみた凸面の両端から、互いに平行する関係で間隔Ｄ１を隔てて、板厚方向Ｌに立ち上がっている。
【００２９】
一対の軸受け片２２２、２２２のそれぞれは、軸挿通孔２２４を有している。軸挿通孔２２４は、軸受け片２２２の立ち上がり端部分の板面の面内において、その板厚方向に一致する幅方向Ｗに貫通している。一対の軸受け片２２２、２２２において、軸挿通孔２２４のそれぞれは、幅方向Ｗでみて重なり合っている。軸部２２３は、ボルトとナットとの組み合わせによって構成されており、向かい合う軸挿通孔２２４、２２４に取り付けられている。
【００３０】
取り付け部２は、第１、第２の基体部２１、２２の組み合わせによる半割り状の構造を有し、第１、第２の基体部２１、２２の相対向面間に、凹面２１０、２２０によって画定されるシャフト挿通孔２４を有している。より詳細に説明すると、第１、第２の基体部２１、２２は、板面の４隅がボルト５と、ナット６によって結合されている。シャフト挿通孔２４は、平面視、円形状の開口端縁を有し、凹面２１０、２２０の相対向面間を高さ方向Ｔに沿って延び、高さ方向Ｔの両端で開口している。
【００３１】
振り子部３は、アーム部３１と、ハウジング３２と、回路部４とを有している。アーム部３１は、軸挿通孔３１０を有し、長手方向Ｌの一端がハウジング３２に結合され、長手方向Ｌの他端が取り付け部２において、高さ方向Ｔにスイング可能に軸止めされている。
【００３２】
軸挿通孔３１０は、長手方向Ｌの他端を幅方向Ｗに貫通し、幅方向Ｗの両側面に開口している。アーム部３１は、長手方向Ｌの他端が一対の軸受け片２２２、２２２の間隔Ｄ１内に案内され、一対の軸挿通孔２２４と、軸挿通孔３１０とが重なり合う状態で、軸部２２３が、一対の軸挿通孔２２４、２２４と、軸挿通孔３１０とを連通していることにより一対の軸受け片２２２、２２２に軸止めされる。違う言葉で表現すれば、アーム部３１は、長手方向Ｌの他端が一対の軸受け片２２２、２２２に軸止めされた状態で、軸部２２３を支点として高さ方向Ｔに沿って振り子状にスイング可能に取り付けられている。
【００３３】
他方、アーム部３１は、長手方向Ｌの一端がハウジング３２に一体的に結合されている。ハウジング３２は、本体部３３と、防散カバー３４と、貫通孔３５と、フランジ部３６と、ウエイト保持部３７とを有し、振り子部３の長手方向Ｌの一端側を構成している。
【００３４】
本体部３３は、ポリカーボネート（ＰＣ）、ポリプロピレン（ＰＰ）、ポリアセタール（ＰＯＭ）等の合成樹脂材料を用いて構成され、アーム部３１の長手方向Ｌの一端と一体的に成形されている。本体部３３は、中空構造となっており、内部に回路部４を収納するための収納空間３３０を有している。収納空間３３０は、底部３３１、側壁部３３２及び防散カバー３４のそれぞれの内面によって画定されており、高さ方向Ｔの上面が開口している。
【００３５】
防散カバー３４は、ポリカーボネート（ＰＣ）など光透過性を有する合成樹脂材料を用いて構成され、収納空間３３０の開口部分を覆っており、覆った状態で開口部分に着脱可能に螺子止めされている。貫通孔３５は、底部３３１を高さ方向Ｔを貫通し、収納空間３３０に開口している。
【００３６】
フランジ部３６は、有底筒状であって、筒状の内部空間３６０と、底部３６１と、開口部３６２とを有している。底部３６１は、内面から外面に貫通する貫通孔３６３を有し、開口部３６２と高さ方向Ｔに向かい合っている。開口部３６２は、開口端縁が径方向に沿って外部に伸びている。フランジ部３６は、ポリプロピレン（ＰＰ）等の合成樹脂材料を用いて構成されている。
【００３７】
ウエイト保持部３７は、長さ方向に沿って伸びる複数のスリット３７０を有し、フランジ部３６の上部に載置されている。スリット３７０には、例えば硬貨などのウエイト３７１を取り付けることにより、振り子部３の重心を調節することができる。ウエイト保持部３７は、ポリプロピレン（ＰＰ）等の合成樹脂材料を用いて構成されている。
【００３８】
回路部４は、電源部４１と、発光素子４２と、スイッチ４３と、衝撃検出子４４とを含み、収納空間３３０に内蔵されている。
【００３９】
電源部４１は、省スペース化の観点からコイン形電池又はボタン形電池が用いられており、フランジ部３６の開口端縁に載置され、載置された状態で、フランジ部３６と、ウエイト保持部３７とによって高さ方向Ｔの両側から挟持されている。電源部４１は、ラグ板４５、ハトメ４６及びリード線４７等によって構成される電気回路を介して発光素子４２と電気的に接続されている。
【００４０】
発光素子４２は、防散カバー３４の下側に取り付けられ、電気回路を通じて衝撃検出子４４と電気的に接続されている。発光素子４２は、好ましくはＬＥＤ（Light Emitting Diode）である。
【００４１】
衝撃検出子４４は、衝撃を検知したときに発光素子４２を発光させるものであって、可動子４４０と、弾性体４４１とを有する。可動子４４０は、突片４４２を有し、収納空間３３０の底部側において、フランジ部３６の底部３６１の外面と、本体部３３の底部３３１の内面との間に取り付けられ、取り付けられた状態で底部３６１と、底部３３１との間を高さ方向Ｔに沿ってピストン状に上下する。可動子４４０は、ポリプロピレン（ＰＰ）等の合成樹脂材料を用いて構成されている。
【００４２】
突片４４２は、高さ方向Ｔでみた主軸部分の中間部分において、高さ方向Ｔに交差する周方向に突出し、底部３３１の内面に向かい合っている。突片４４２は、底部３３１に突き当たることにより、可動子４４０の下げ止まりとして機能する。
【００４３】
可動子４４０の主軸部分は、突片４４２を境にして高さ方向Ｔの一端が貫通孔３６３に案内され、高さ方向Ｔの他端が貫通孔３５に案内され、案内された状態で底部３３１の外面に突出していることにより検出端４４３を構成している。違う言葉で表現すれば、可動子４４０は、高さ方向Ｔの一端側に検出端４４３を有し、検出端４４３は、貫通孔３５を通じて、ハウジング３２の外部に突出している。
【００４４】
弾性体４４１は、つる巻バネあって、可動子４４０の主軸部分の外周に巻装されており、高さ方向Ｔの一端側がフランジ部３６の底部３６１の外面に突き当たり、高さ方向Ｔの他端側が突片４４２の立ち上がり壁に突き当たっている。弾性体４４１は、検出端４４３を押し下げる方向（Ｔ）に付勢するとともに、可動子４４０の上下動時の衝撃を緩衝する。
【００４５】
衝撃検出子４４は、検出端４４３がハウジング３２の外部に突出し、衝撃を検知したときにスイッチ４３を閉じることにより、発光素子４２を点灯させる。
【００４６】
スイッチ４３は、衝撃検出子４４と、発光素子４２との間の電気回路を開閉するものであって、衝撃検出子４４が衝撃を検出したときに、電気回路を閉じる。図３及び図４のスイッチ４３は、つる巻バネあって、フランジ部３６の内部空間３６０において、可動子４４０の主軸部分の他端側に螺子止めされ、螺子止めされた状態で電源部４１の底部と間隔Ｄ２を隔てて向かい合っている。
【００４７】
スイッチ４３は、可動子４４０の上下動時の衝撃を緩衝するとともに、フランジ部３６の切り欠き部分を通じて外部に導出され、ハトメ４６及びリード線４７を介して発光素子４２と電気的に接続されている。この構造によると、検出端４４３が外部からの圧力によって高さ方向Ｔに押し上げられた場合に、スイッチ４３がフランジ部３６を高さ方向Ｔに沿って押し上げられ、電源部４１と電気的に接続されたとき、電源部４１と発光素子４２との間の電気回路が閉じられる。
【００４８】
図４は本発明の一実施形態に係るゴルフクラブについて一部を拡大して示す正面図、図５乃至図９は本発明の一実施形態に係るゴルフクラブの使用方法を示す図である。図４乃至図９において、図１乃至図３に示した構成部分と同一の構成部分には、同一の参照符号を付す。
【００４９】
図４のゴルフクラブは、シャフト８０と、ヘッド８１と、ゴルフスイング練習用機器１とを含む。シャフト８０は、長手方向Ｌの一端にヘッド８１が取り付けられている。ゴルフスイング練習用機器１は、図１乃至図３を参照して説明したものであって、シャフト挿通孔２４にシャフト８０が案内され、振り子部３の底部３３１、特に検出端４４がヘッド８１に接触可能な位置に取り付けられている。具体的には、第１、第２の基体部２１、２２を分離した状態で、シャフト８０の先端部分を挟んで凹面２１０、２２０が向かい合わせとなるように配置し、その後、第１、第２の基体部２１、２２を組み合わせて螺子止めすることにより、シャフト挿通孔２４にシャフト８０の先端部分が案内された状態で固定される。
【００５０】
次に、図４のゴルフクラブの使用方法について、図５乃至図９を参照して説明する。ゴルフにおいて求められる理想的なスイング動作を行うには、クラブを保持する両腕の肘及び手首の動作が重要となる。即ち、スイング動作中に肘及び手首を折り曲げ（コックθ）し、さらにクラブヘッド８１がボール７を打撃する瞬間（インパクト時）にコックθを解放することにより、ヘッドスピードがさらに加速され、ボール７の飛距離を伸ばすことができる。また、コックθを解放してヘッドスピードを増速させるには、コックθを解放するまでの一連のスイング動作が適切に行われていなければならない。
【００５１】
まず、図５に示すように、例えば、右利きのゴルファーＧの場合、一点鎖線で示すアドレスした状態（Ｐ１）から、頭の上下動を抑え頭を静止させた状態で、背骨を中心にしてテイクバックを開始し、反飛球方向Ｒ1に体を捻転させる。このバックスイング時に、右肘を折り畳みながら、後頭部方向に両腕を持ち上げ、クラブを握る右手首を甲側に折る動作を行うことにより、右肘及び右手首がコックθされ、シャフト８０が地面ＧＬと水平となり、クラブ打球面が略４５度の角度で空を指す。このコックθがボール７を遠くへ飛ばす重要要件である。図５のスイング動作において、一点鎖線で示すアドレスした状態（Ｐ１）から実線で示すトップの位置（Ｐ２）にするまでの間、ハウジング３２は、重力によって地面ＧＬの方向に垂れ下がっている。
【００５２】
次に、図５及び図６のバックスイングの後、トップの位置（Ｐ２）から下半身のリードでダウンスイングを開始し、体を飛球方向Ｒ２に捻転させる。図７及び図８のダウンスイング動作動作において、トップの位置（Ｐ２）からダウンスイング動作初期のハウジング３２は、重力によって地面ＧＬの方向に垂れ下がっている。
【００５３】
さらに、左腕が水平に至るまで、左肩を支点とした立振りスイングを行い、クラブヘッド８１がボール７を打撃するインパクトゾーンに入り、コックθを解放したときにインパクト（Ｐ３）を迎えることにより、ボール７を遠方に飛ばすことが可能となる。図７のダウンスイング動作中に、スイング動作によりシャフト８０の先端に生じる遠心力、及び、コックθの解放することにより生じる力（スナップ）が重畳的に作用することよって、振り子部３がヘッド方向に立ち上がってスイングし、Ｐ３の位置でハウジング３２がヘッド８１に衝突する。
【００５４】
図７のダウンスイング時に、腹部の動きと同調して先に右肩が出ると飛球ラインの外側からヘッド軌道が入るアウトサイドインとなり、逆に、右肩が遅れると飛球ラインの内側からヘッド軌道が入るインサイドインとなる。このダウンスイング時の体の捻転動作、及び、ヘッド軌道が適切でないと、狙った飛球方向へ正確にボール７を飛ばすことができない。
【００５５】
振り子部３は、ヘッド８１に衝突したとき、図９に示すように、検出端４４３が高さ方向Ｔに押し上げられるとともに、スイッチ４３がフランジ部３６の内部空間３６０を高さ方向Ｔに沿って押し上げられ、電源部４１と電気的に接続される。スイッチ４３は、ハトメ４６及びリード線４７を介して発光素子４２と電気的に接続されているから、スイッチ４３が電源部４１に突き当たったとき、電源部４１と発光素子４２との間の電気回路が閉じられ、発光素子４２が発光（点灯）する。発光素子４２は、遠心力によってスイッチ４３が押し上げられている間、点灯し続ける。
【００５６】
図１乃至図９を参照して説明したように、ゴルフスイング練習用機器１は、シャフト挿通孔２４にシャフト８０を案内することにより、ゴルフクラブに取り付けて用いられる。一般に、シャフト８０は、硬くなればなるほど強い反発力が生じ、ボール７の飛距離が伸びることとなる。そこで、ゴルファーは、自己の熟練度に応じて反発力の高いシャフト８０を用いる傾向にあるから、スイングの練習は当該ゴルファーが現に所有するクラブで行うのが理想的である。上述した点について、図１乃至図９のゴルフスイング練習用機器１では、ボルト５とナット６とを結合させることにより第１、第２の基体部２１、２２を組立して取り付け部２を構成し、又は、ボルト５とナット６との結合を解除するにより第１、第２の基体部２１、２２を半割り状に分解させることができるから、取り付け部２をシャフト８０に着脱可能に取り付けることができる。従って、安価であるとともに、当該ゴルファーが使用している自分のゴルフクラブに取り付けて用いることができるから、実際のプレーに即した理想的なスイング動作を身につけることができる。
【００５７】
ゴルフで求められる理想的なスイングでは、ボール７をより遠くへ飛ばすためクラブヘッド８１を高速でボール７に打撃させる動作と、ボール７を狙った方向に飛ばすためクラブフェースを正確にボール７に打撃させる動作との２つが同時に実行されてることが求められる。上述した理想的なスイングを行うためには、コックθが重要要件である。即ち、ヘッド８１がボール７をインパクトする瞬間の時Ｐ３にコックθを解放することができれば、ヘッドスピードが手首の力でさらに加速され、ボール７の飛距離を伸びることとなる。
【００５８】
上述したゴルフで求められる理想的なスイングについて、図１乃至図９のゴルフスイング練習用機器１では、アーム部３１の他端が取り付け部２にスイング可能に軸止めされ、取り付け部２を介してシャフト８０に取り付けられた状態で、ハウジング３２がヘッド８１に衝突可能である。この構造によると、ダウンスイング動作Ｒ２の間に、コックθを解放することにより生じる力（スナップ）により、ハウジング３２をヘッド方向にスイングさせ、ヘッド８１に衝突させることが可能である。従って、ハウジング３２とヘッド８１との衝突のタイミングと、コックθを解放するタイミングとがＰ３で重なるよう、スイング動作を調整することにより、適切なタイミングでコックθを解放する技術を習得し、もって、理想的なスイング動作を身につけることができる。
【００５９】
さらに、ゴルフで求められる理想的なスイングでは、ヘッド８１の軌道がインサイドからアウトサイドに抜けるようにスイングすることが好ましい。この軌道を描くには、インパクトの瞬間まで手首のコックθを維持することが重要となる。しかし、初心者などはコックθの解放タイミングが早すぎることとなり、ヘッド８１がアウトサイドからインサイドに抜ける軌道を描いてしまう問題が生じる。
【００６０】
上述した問題について、図１乃至図９のゴルフスイング練習用機器は回路部４を有し、回路部４は、発光素子４２と、衝撃検出子４４とを含む。衝撃検出子４４は、ハウジング３２の底部３３１に備えられ、衝撃を検知したときに発光素子４２を発光させる。この構成によると、ハウジング３２とヘッド８１との衝突のタイミングを視認することができる。しかも、発光素子４２が発光することにより、目の残像効果によってヘッド８１の軌道を確認することができるから、理想的なスイング動作を身につけることができる。
【００６１】
回路部４を構成するスイッチ４３は、衝撃検出子４４と、発光素子４２との間の電気回路を開閉するものであって、衝撃検出子４４が衝撃を検出したときに、電気回路を閉じる。この構成によると、遠心力の働く限り発光素子４２を発光（点灯）させ続けることができる。より詳細に説明すると、左肩を支点としてクラブを振り下ろす（ダウンスイング）ことにより、シャフト８０の先端のクラブヘッド８１には、遠心力が発生させられる。ここでダウンスイング動作中のハウジング３２にも遠心力が加わっており、この遠心力と、インパクトの瞬間（Ｐ３）前にコックθを解放することにより生じる力（スナップ）とが重畳的に加えられることにより、同ハウジング３２がヘッド８１に衝突する。
【００６２】
上述したスイング動作において、スイッチ４３は、衝撃検出子４４が衝撃を検出したときに、衝撃検出子４４と、発光素子４２との間の電気回路を閉じるから、遠心力の働く限り電気回路を閉じ続ける構成とすることにより、発光素子４２を発光（点灯）させ続け、目の残像効果によって、スイングプレーンを確認し、インパクトのタイミングを練習調整することが可能となり、理想的なスイング動作を身に付けることができる。
【００６３】
図１０は本発明のもう一つの実施形態に係るゴルフスイング練習用機器の正面図、図１１は図１０のゴルフスイング練習用機器の平面図である。図１０及び図１１において、図１乃至図９に示した構成部分と同一の構成部分には、同一の参照符号を付す。
【００６４】
図１０及び図１１のゴルフスイング練習用機器は、アーム部（３１）の構造が異なる以外は、図１乃至図９を参照して説明したゴルフスイング練習用機器と同一の基本的構造を有している。以下、相違点を中心に説明する。
【００６５】
まず、振り子部３は、一対のアーム部３１１、３１２を有している。一対のアーム部３１１、３１２のそれぞれは、正面視、矩形上であって、軸挿通孔３１０を有し、長手方向Ｌの一端がハウジング３２に結合され、長手方向Ｌの他端が互いに平行する関係で間隔Ｄ３を隔てて立ち上がっている。軸挿通孔３１０は、一対のアーム部３１１、３１２の立ち上がり端部分のそれぞれにおいて板厚方向Ｌに貫通している。一対のアーム部３１１、３１２において、一対の軸挿通孔３１０、３１０は、板厚方向Ｌに重なり合っている。
【００６６】
一対のアーム部３１１、３１２は、長手方向Ｌの他端が取り付け部２にスイング可能に軸止めされている。一対のアーム部３１１、３１２は、長手方向Ｌの他端の間隔Ｄ３内に、一対の軸受け片２２２、２２２が案内され、一対の軸挿通孔２２４と、一対の軸挿通孔３１０とが重なり合う状態で、軸部２２３を第１の、軸挿通孔３１０に連通させることにより軸止めされる。違う言葉で表現すれば、アーム部３１は、長手方向Ｌの他端が一対の軸受け片２２２、２２２に軸止めされた状態で、軸部２２３を支点として高さ方向Ｔに沿って振り子状にスイング可能に取り付けられている。
【００６７】
図１０及び図１１の実施形態によっても、図１乃至図９を参照して説明したゴルフスイング練習用機器の利点を全て有することは明らかである。
【００６８】
図１２は本発明のさらにもう一つの実施形態に係るゴルフスイング練習用機器の正面図、図１３は図１２のゴルフスイング練習用機器の平面図である。図１２及び図１３において、図１乃至図１２に示した構成部分と同一の構成部分には、同一の参照符号を付す。
【００６９】
図１２及び図１３のゴルフスイング練習用機器は、図１０乃至図１１を参照して説明したゴルフスイング練習用機器と同一の基本的構造を有している。以下、相違点を中心に説明する。
【００７０】
図１２及び図１３のゴルフスイング練習用機器において、回路部（４）を構成する衝撃検出子（４４）は、ショックセンサであって、ハウジング３２に収納されており、収納された状態でハウジング３２に加えられた衝撃を検知したときにスイッチ（４３）を閉じる構成を有している。
【００７１】
また、図１２及び図１３のハウジング３２は、受け部３３３を有している。受け部３３３は、ハウジング３２の底部３３１を部分的に肉厚に形成したものである。この構造によると、底部３３１に加えられる衝撃を受け部３３３によって広く検知することができるとともに、衝撃に対する耐久性を確保し、破損などの不具合を回避することができる。
【００７２】
更に、図１２及び図１３のハウジング３２は、一対のアーム部３１１、３１２の間にスプリング９を有している。スプリング９は、長手方向Ｌの一端が一対のアーム部３１１、３１２に取り付けられ、長手方向Ｌの他端が第２の基体部２２の凸面に取り付けられ、長手方向Ｌの一端と他端との間の中間部分が軸部２２３の外周に巻装されており、一対のアーム部３１１、３１２と、取り付け部２との間で振り子の下げ止まりとなるように高さ方向Ｔに付勢力を加えている。この構造によると、振り子部３のスイングに対してスプリング９によって制動をかけることができるから、衝撃による破損を防止することができる。
【００７３】
また、ゴルファーのスイングスピードは、当該ゴルフファーの熟練度に応じて早くなる傾向にある。従って、振り子部３のスイングに対してスプリング９によって制動をかけることができる構成によると、スイングスピードの速い場合に振り子部３の起き上がりにくくすることにより、上級者用のゴルフスイング練習用機器を提供することができる。
【００７４】
以上、好ましい実施例を参照して本発明の内容を具体的に説明したが、本発明の基本的技術思想及び教示に基づいて、当業者であれば、種種の変形態様を採り得ることは自明である。
【符号の説明】
【００７５】
１              ゴルフスイング練習用機器
２              取り付け部
３              振り子部
３１            アーム部
３１１、３１２  一対のアーム部
３１０          第２の軸挿通孔
３２            ハウジング
４              回路部
４２            発光素子
４３            スイッチ
４４            衝撃検出子
４４３          検出端
８０            シャフト
８１            ヘッド
Ｌ              板厚方向、長手方向
【図１】
2011167253.tif 000003
【図２】
2011167253.tif 000004
【図３】
2011167253.tif 000005
【図４】
2011167253.tif 000006
【図５】
2011167253.tif 000007
【図６】
2011167253.tif 000008
【図７】
2011167253.tif 000009
【図８】
2011167253.tif 000010
【図９】
2011167253.tif 000011
【図１０】
2011167253.tif 000012
【図１１】
2011167253.tif 000013
【図１２】
2011167253.tif 000014
【図１３】
2011167253.tif 000015